(57)【要約】【課題】筐体内の機器の交換又は増設等のために、筐体の蓋体を取り外した場合に、筐体内の回路基板などの導電部分にユーザが触れて感電することを防止できる電気機器用の筐体を提供する。また、この筐体を備える電気機器及びプロジェクタを提供する。【解決手段】電源コード５の雌コネクタ５ａが挿通する開口３が背面に形成してある筐体１に、背面に沿う方向に着脱する底蓋１７を設ける。底蓋１７に開口１９ａが形成された枠辺部１９を設ける。底蓋１７を筐体１に装着した場合、枠辺部１９の開口１９ａが筐体１の開口３と対向するようにする。開口３から挿入された雌コネクタ５ａが枠辺部１９の開口１９ａを挿通して筐体１内の雄コネクタに接続されるため、電源コード５を接続した状態で底蓋１７を取り外すことができなくなる。【選択図】図４
2007101696.tif 000002
【特許請求の範囲】
【請求項１】
複数の面で囲まれ、電源コードの端部に設けられたコネクタが外側から内側へ挿通する開口を一の面に形成した電気機器用の筐体において、
前記一の面に沿う方向に着脱され、前記方向に間隔を空けて対向する枠辺部分を有する蓋体を備え、
該蓋体を装着した場合に前記枠辺部分が前記一の面の開口周縁部分に対向するようにしてあること
を特徴とする電気機器用の筐体。
【請求項２】
前記一の面に沿って摺動可能に設けてあり、前記蓋体が装着されていない場合に前記開口を閉じる扉体を備える請求項１に記載の電気機器用の筐体。
【請求項３】
前記扉体を、前記開口を閉じる方向へ付勢する付勢手段を備え、
前記蓋体は、装着動作に伴って、前記扉体に当接し、前記扉体を前記付勢手段の付勢に抗する方向へ摺動させ、前記開口を開くようにしてある請求項２に記載の電気機器用の筐体。
【請求項４】
前記扉体の摺動方向は、前記蓋体の着脱方向と同方向である請求項３に記載の電気機器用の筐体。
【請求項５】
前記扉体の摺動方向は、前記蓋体の着脱方向と交差する方向であり、
前記蓋体及び前記扉体それぞれの当接部分は、前記摺動方向及び前記着脱方向に対して傾斜してある請求項３に記載の電気機器用の筐体。
【請求項６】
前記蓋体は、前記扉体への当接方向に対して交差する方向に屈曲した屈曲部分を有し、
該屈曲部分が前記扉体に当接するようにしてある請求項３乃至請求項５のいずれか１つに記載の電気機器用の筐体。
【請求項７】
前記扉体は、前記蓋体への当接方向に対して交差する方向に屈曲した屈曲部分を有し、
該屈曲部分が前記蓋体に当接するようにしてある請求項３乃至請求項６のいずれか１つに記載の電気機器用の筐体。
【請求項８】
請求項１乃至請求項７のいずれか１つに記載の電気機器用の筐体と、
端部にコネクタを有し、電力を供給する電源コードと、
前記筐体内に前記開口と対向して配され、前記開口を挿通した前記電源コードのコネクタが接続される端子部と
を備え、
前記筐体の前記蓋体を装着した場合に、前記蓋体の前記枠辺部分が、前記開口及び前記端子部の間に位置するようにしてあること
を特徴とする電気機器。
【請求項９】
請求項１乃至請求項７のいずれか１つに記載の電気機器用の筐体と、
端部にコネクタを有し、電力を供給する電源コードと、
前記筐体内に前記開口と対向して配され、前記開口を挿通した前記電源コードのコネクタが接続される端子部と、
前記筐体に収容され、前記端子部から電源が供給される光源と
を備え、
前記光源を前記筐体から取り外す場合に、前記筐体の前記蓋体を離脱するようにしてあり、
前記蓋体を装着した場合に、前記蓋体の前記枠辺部分が、前記開口及び前記端子部の間に位置するようにしてあること
を特徴とするプロジェクタ。
【発明の詳細な説明】
【技術分野】
【０００１】
本発明は、着脱可能な蓋体を備え、蓋体の着脱作業を行う場合に使用者が導電部分に触れて感電することを防止することができる電気機器用の筐体に関し、また、この筐体を備える電気機器及びプロジェクタに関する。
【背景技術】
【０００２】
近年、光源からの光を変調して映像を形成し、スクリーン上に投影するプロジェクタが普及している。プロジェクタは光源としてハロゲンランプ、キセノンランプ又は水銀ランプ等のランプを有しており、ランプの寿命が尽きた場合にはランプの交換を行う必要がある。ランプの交換を行う場合、使用者はプロジェクタの筐体に設けられた蓋体を外し、筐体内からランプを取り出して交換する。また、ランプ、ランプを装着するソケット及び電力の供給源に接続するための端子等を有するランプユニットがプロジェクタの筐体から着脱できる場合には、ランプユニットを筐体から取り外してランプの交換を行う。このとき、使用者がプロジェクタの電源を切り忘れ、筐体内の回路基板又は接続端子等に触れた場合、感電の虞があるという問題がある。
【０００３】
特許文献１においては、ランプの交換を行う際に着脱する筐体の蓋が取り外された状態である場合、電源ケーブルを接続するインレットの入口を連動部材が閉鎖する構成とし、連動部材をロックする第１のロック機構と、第１のロック機構をロックする第２のロック機構とを設けることで、使用者が簡単にインレットの入口を開放することができないため、感電を防止できる液晶プロジェクタの二重安全装置が提案されている。
【０００４】
また、特許文献２においては、ランプユニットを交換する際に開閉する蓋体に突起部を設け、筐体のランプユニット挿入部に検出スイッチを設け、ランプユニットに板バネを設けて、ランプユニットを挿入し、更に蓋体を閉めた場合のみ、蓋体の突起部がランプユニットの板バネを押圧し、押圧された板バネが筐体の検出スイッチを操作し、電源が起動するようにした表示装置が提案されている。
【特許文献１】特開平１１−２０２４０７号公報
【特許文献２】特開２００３−１４９７３７号公報
【発明の開示】
【発明が解決しようとする課題】
【０００５】
しかしながら、特許文献１に記載の液晶プロジェクタの二重安全装置においては、第１のロック機構及び第２のロック機構を備える複雑な構成であり、部品点数が多いため、製品のコストが増加し、また、製造工程が複雑化するという問題がある。また、特許文献２に記載の表示装置においては、電源の入切を電気的な検出スイッチを用いて切り替えているため、部品が高価であり、また、検出スイッチが故障又は誤検出した場合には、プロジェクタの電源が入らない、又は電源が切れずに感電する等の虞がある。
【０００６】
また、プロジェクタ以外の電気機器、例えばＰＣ（パーソナルコンピュータ）では、メモリ若しくはハードディスク等の増設、又はサウンドボード若しくはグラフィックボード等の交換を行う場合に、筐体の蓋体を取り外して作業を行う必要があるが、電源コードを接続した状態で作業を行った場合、感電の虞がある。
【０００７】
本発明は、斯かる事情に鑑みてなされたものであって、その目的とするところは、開口が形成された面に沿って着脱する蓋体に、着脱方向に間隔をあけて対向する枠辺部分を設け、蓋体を装着した場合に枠辺部分が開口の周縁部分に対向する構成とすることにより、蓋体を装着し、電源コードのコネクタが開口を挿通した状態では、蓋体を取り外そうとした場合に、蓋体の枠辺部分がコネクタに当接して蓋体を取り外すことができず、ユーザが誤って蓋体を取り外して内部の導電部分に触れ、感電することを防止できる電気機器用の筐体を提供することにある。
【０００８】
また本発明の他の目的とするところは、蓋体が装着されていない場合に、開口を扉体で閉じる構成とすることにより、蓋体を取り外した後では、扉体により電源コードのコネクタが開口を挿通することができず、より確実に感電を防止できる電気機器用の筐体を提供することにある。
【０００９】
また本発明の他の目的とするところは、扉体を閉じる方向へ付勢し、蓋体を装着する場合に、蓋体が扉体を摺動させて開口を開く構成とすることにより、蓋体が装着されていない状態では確実に開口を閉じることができ、蓋体の装着に伴って簡単に開口を開くことができる電気機器用の筐体を提供することにある。
【００１０】
また本発明の他の目的とするところは、扉体を蓋体の着脱方向と同方向に摺動して開閉する構成とすることにより、蓋体の装着動作に伴って簡単に扉体を摺動させて開口を開くことができる電気機器用の筐体を提供することにある。
【００１１】
また本発明の他の目的とするところは、扉体を蓋体の着脱方向と交差する方向に摺動して開閉するようにし、扉体と蓋体の当接部分を着脱方向及び摺動方向に対して傾斜させる構成とすることにより、蓋体の装着方向に扉体を摺動させるスペースがない場合であっても扉体を設けることができ、また、当接部分の傾斜により移動方向が交差する扉体を蓋体により円滑に開閉することができる電気機器用の筐体を提供することにある。
【００１２】
また本発明の他の目的とするところは、蓋体に屈曲部分を形成し、屈曲部分が扉体と当接して扉体を開く構成とすることにより、蓋体の装着動作に伴ってより円滑に扉体を開くことができる電気機器用の筐体を提供することにある。
【００１３】
また本発明の他の目的とするところは、扉体に屈曲部分を形成し、屈曲部分が蓋体と当接する構成とすることにより、蓋体の装着動作に伴ってより円滑に扉体を開くことができる電気機器用の筐体を提供することにある。
【００１４】
また本発明の他の目的とするところは、筐体に形成された開口から電源コードのコネクタを挿入して筐体内の端子に接続した場合、蓋体の枠辺部分がコネクタに当接して蓋体を離脱不可能にする構成とすることにより、ユーザがコネクタを接続した状態で蓋体を取り外し、筐体内の導電部分に触れて感電することを防止できる電気機器を提供することにある。
【００１５】
また本発明の他の目的とするところは、筐体に形成された開口から電源コードのコネクタを挿入して筐体内の端子に接続した場合、蓋体の枠辺部分がコネクタに当接して蓋体を離脱不可能にする構成とすることにより、蓋体を取り外して光源を交換する場合に、筐体内の導電部分に触れて感電することを防止できるプロジェクタを提供することにある。
【課題を解決するための手段】
【００１６】
本発明に係る電気機器用の筐体は、複数の面で囲まれ、電源コードの端部に設けられたコネクタが外側から内側へ挿通する開口を一の面に形成した電気機器用の筐体において、前記一の面に沿う方向に着脱され、前記方向に間隔を空けて対向する枠辺部分を有する蓋体を備え、該蓋体を装着した場合に前記枠辺部分が前記一の面の開口周縁部分に対向するようにしてあることを特徴とする。
【００１７】
本発明においては、電気機器用の筐体の一面に電源コードのコネクタが挿通する開口を形成し、開口が形成された面に沿って着脱する蓋体に、着脱方向に間隔をあけて対向する枠辺部分を設ける。枠辺部分は、蓋体を装着した場合に開口の周縁部分と対向する位置に設ける。開口から筐体内へコネクタが挿入された場合、枠辺部分の間をコネクタが通り、この状態では、枠辺部分とコネクタとが当接して蓋体を取り外すことができなくなる。よって、ユーザはコネクタを抜いた後でのみ蓋体を取り外しできるため、筐体内の導電部分に触れた場合であっても、電源が供給されておらず、感電することはない。
【００１８】
また、本発明に係る電気機器用の筐体は、前記一の面に沿って摺動可能に設けてあり、前記蓋体が装着されていない場合に前記開口を閉じる扉体を備えることを特徴とする。
【００１９】
本発明においては、蓋体が装着されていない場合に、開口を閉じる扉体を設ける。ユーザが蓋体を取り外した後では、扉体により開口を通して電源コードのコネクタを内部の端子に接続することができなくなる。
【００２０】
また、本発明に係る電気機器用の筐体は、前記扉体を、前記開口を閉じる方向へ付勢する付勢手段を備え、前記蓋体は、装着動作に伴って、前記扉体に当接し、前記扉体を前記付勢手段の付勢に抗する方向へ摺動させ、前記開口を開くようにしてあることを特徴とする。
【００２１】
本発明においては、開口を閉じる方向へ扉体を付勢しておく。蓋体を装着するときに蓋体が扉体に当接し、扉体を摺動させて、開口を開く。蓋体が取り外された場合には、付勢により扉体が開口を閉じる。よって、蓋体の着脱動作に伴って、扉体による開口の開閉動作を行わせることができる。
【００２２】
また、本発明に係る電気機器用の筐体は、前記扉体の摺動方向が、前記蓋体の着脱方向と同方向であることを特徴とする。
【００２３】
本発明においては、扉体を蓋体の着脱方向と同じ方向に摺動して開閉するようにする。蓋体の装着を行う場合に、蓋体を扉体に当接させ、装着動作に伴って簡単に扉体を摺動させることができる。
【００２４】
また、本発明に係る電気機器用の筐体は、前記扉体の摺動方向が、前記蓋体の着脱方向と交差する方向であり、前記蓋体及び前記扉体それぞれの当接部分は、前記摺動方向及び前記着脱方向に対して傾斜してあることを特徴とする。
【００２５】
本発明においては、扉体を蓋体の着脱方向と交差する方向に摺動して開閉するようにする。蓋体の着脱方向に対して空きスペースが少なく、扉体を着脱方向に摺動できない場合であっても、着脱方向に交差する方向に扉体を摺動させ、開口を開閉できる。この場合、扉体と蓋体との当接部分を着脱方向及び摺動方向に対して傾斜させ、蓋体の装着動作に伴って円滑に扉体を摺動させることができるようにする。
【００２６】
また、本発明に係る電気機器用の筐体は、前記蓋体が、前記扉体への当接方向に対して交差する方向に屈曲した屈曲部分を有し、該屈曲部分が前記扉体に当接するようにしてあることを特徴とする。
【００２７】
本発明においては、蓋体に屈曲部分を形成し、屈曲部分が扉体と当接して扉体を摺動させるようにする。屈曲部分により扉体と当接可能な部分の面積が増すため、扉体を確実に、且つ円滑に摺動できる。
【００２８】
また、本発明に係る電気機器用の筐体は、前記扉体が、前記蓋体への当接方向に対して交差する方向に屈曲した屈曲部分を有し、該屈曲部分が前記蓋体に当接するようにしてあることを特徴とする。
【００２９】
本発明においては、扉体に屈曲部分を形成し、屈曲部分が蓋体と当接して、扉体が蓋体により摺動されるようにする。屈曲部分により蓋体と当接可能な部分の面積が増すため、扉体を蓋体により確実に、且つ円滑に摺動できる。
【００３０】
また、本発明に係る電気機器は、上述の電気機器用の筐体と、端部にコネクタを有し、電力を供給する電源コードと、前記筐体内に前記開口と対向して配され、前記開口を挿通した前記電源コードのコネクタが接続される端子部とを備え、前記筐体の前記蓋体を装着した場合に、前記蓋体の前記枠辺部分が、前記開口及び前記端子部の間に位置するようにしてあることを特徴とする。
【００３１】
本発明においては、電源コードのコネクタが接続される端子部を、電気機器用の筐体の中の開口と対向する位置に設ける。更に、蓋体を筐体に装着した場合には、蓋体の枠辺部分が開口と端子部との間に位置するようにする。これにより、開口から挿入されたコネクタは、蓋体の枠辺部分の間を通って端子部に接続される。この状態で蓋体を取り外そうとしても、枠辺部分がコネクタに当接して取り外すことができない。
【００３２】
また、本発明に係るプロジェクタは、上述の電気機器用の筐体と、端部にコネクタを有し、電力を供給する電源コードと、前記筐体内に前記開口と対向して配され、前記開口を挿通した前記電源コードのコネクタが接続される端子部と、前記筐体に収容され、前記端子部から電源が供給される光源とを備え、前記光源を前記筐体から取り外す場合に、前記筐体の前記蓋体を離脱するようにしてあり、前記蓋体を装着した場合に、前記蓋体の前記枠辺部分が、前記開口及び前記端子部の間に位置するようにしてあることを特徴とする。
【００３３】
本発明においては、電気機器筐体の内部に光源を収容し、光源を交換する場合に蓋体を着脱するようにする。また、電源コードのコネクタが接続される端子部を、筐体内の開口と対抗する位置に設け、更に蓋体を筐体に装着した場合には、蓋体の枠辺部分が開口と端子部との間に位置するようにする。これにより、開口から挿入されたコネクタは、蓋体の枠辺部分の間を通って端子部に接続される。コネクタを接続した状態で、光源を交換するために蓋体を取り外そうとしても、枠辺部分がコネクタに当接して取り外すことができない。
【発明の効果】
【００３４】
本発明による場合は、電気機器用の筐体の一面に電源コードのコネクタが挿通する開口を形成し、開口が形成された面に沿って着脱する蓋体に、着脱方向に間隔をあけて対向する枠辺部分を設け、蓋体を装着した場合に枠状部分が開口の周縁部分と対向する構成とすることにより、蓋体を装着し、電源コードのコネクタが開口を挿通した状態では、蓋体を取り外そうとしても、蓋体の枠辺部分がコネクタに当接して蓋体を取り外すことができず、コネクタが接続された状態でユーザが筐体内の導電部分に触れることができないため、感電を防止することができ、この電気機器用の筐体を用いるプロジェクタ又はＰＣ等の電気機器の安全性を高める事ができる。
【００３５】
また、本発明による場合は、蓋体が装着されていない場合に、開口を扉体で閉じる構成とすることにより、蓋体を取り外した後では、電源コードのコネクタが開口を挿通することができず、内部に電力を供給することができなくなるため、より確実に感電を防止することができ、より安全性を高める事ができる。
【００３６】
また、本発明による場合は、開口を閉じる方向へ扉体を付勢しておき、蓋体を装着する場合、蓋体が扉体に当接し、扉体を摺動させて開口を開く構成とすることにより、蓋体が装着されていない状態では付勢により確実に開口を閉じることができ、蓋体の着脱動作に伴って、扉体による開口の開閉を簡単に行わせることができるため、より確実に感電を防止することができ、また、感電防止の機構を設けることによるコストの増加を抑えることができる。
【００３７】
また、本発明による場合は、扉体を蓋体の着脱方向と同じ方向に摺動して開閉する構成とすることにより、蓋体の装着動作に伴って扉体を摺動させることができ、扉体による開口の開閉を簡単に行わせることができるため、より確実に感電を防止することができ、また、感電防止の機構を設けることによるコストの増加を抑えることができる。
【００３８】
また、本発明による場合は、扉体を蓋体の着脱方向と交差する方向に摺動して開閉する構成とすることにより、蓋体の着脱方向に対して空きスペースが少なく、扉体を着脱方向に摺動できない場合であっても、開口を摺動して開閉できる。また、扉体と蓋体との当接部分を着脱方向及び摺動方向に対して傾斜させる構成とすることにより、移動方向が交差する扉体を蓋体に簡単に、且つ円滑に開閉することができるため、確実に感電を防止することができ、また、感電防止の機構を設けることによるコストの増加を抑えることができる。
【００３９】
また、本発明による場合は、蓋体に屈曲部分を形成し、屈曲部分が扉体と当接して扉体を開く構成とすることにより、扉体と当接可能な部分の面積が増し、扉体を確実に、且つ円滑に摺動できるため、ユーザの蓋体の着脱作業及びコネクタの接続作業を行いやすくできる。
【００４０】
また、本発明による場合は、扉体に屈曲部分を形成し、屈曲部分が蓋体と当接する構成とすることにより、蓋体と当接可能な部分の面積が増し、扉体を蓋体により確実に、且つ円滑に摺動できるため、ユーザの蓋体の着脱作業及びコネクタの接続作業を行いやすくできる。
【００４１】
また、本発明による場合は、電源コードのコネクタが接続される端子部を電気機器用の筐体の中の開口と対向する位置に設け、蓋体を筐体に装着した場合に、蓋体の枠辺部分が開口と端子部との間に位置する構成とすることにより、開口から挿入されたコネクタが蓋体の枠辺部分の間を通って端子部に接続され、蓋体を取り外そうとしても、枠辺部分がコネクタに当接して取り外すことができず、ユーザが筐体内の導電部分に触れることができないため、感電を防止することができ、プロジェクタ又はＰＣ等の電気機器の安全性を高める事ができる。
【００４２】
また、本発明による場合は、光源を交換する場合に蓋体を着脱するようにし、電源コードのコネクタが接続される端子部を電気機器用の筐体の中の開口と対向する位置に設け、蓋体を筐体に装着した場合に、蓋体の枠辺部分が開口と端子部との間に位置する構成とすることにより、蓋体を取り外して光源を交換する場合に、筐体内の導電部分に触れて感電することを防止でき、プロジェクタの安全性を高める事ができる。
【発明を実施するための最良の形態】
【００４３】
以下、本発明をその実施の形態を示す図面に基づき具体的に説明する。図１は、本発明に係るプロジェクタの外観を示す正面斜視図であり、図２は、同背面斜視図である。図において１は、略直方体をなすプロジェクタの筐体である。筐体１の正面には略円形の貫通孔が形成されており、貫通孔を通して投射レンズ２が突出され、投射レンズ２から図示しないスクリーンへ映像が投射されるようにしてある。
【００４４】
また、筐体１の背面下部には、略矩形の開口３が形成されている。開口３は、プロジェクタに電力を供給するための電源コード５を、筐体１内の雄コネクタ１１（図３にて図示する）に接続するためのものであり、電源コード５の端部に設けられた雌コネクタ５ａを開口３から筐体１内に挿入し、開口３に対向するように配設された雄コネクタ１１に接続するようにされている。
【００４５】
図３は、本発明に係るプロジェクタの構造を示す正面斜視図である。また、図４は、本発明に係るプロジェクタの構造を示す分解正面斜視図であり、図５は、同分解底面斜視図である。なお、図３乃至図５においては、内部の構造が分かり易いように、背面を除いて筐体１の上半分の図示を省略してある。
【００４６】
筐体１の内部には、プロジェクタの光源をなすランプを有するランプユニット１５（図３では図示を省略する）、ミラー及びレンズ等の光学部品（図示は省略する）、並びにＤＭＤ（Ｄｉｇｉｔａｌ  Ｍｉｃｒｏｍｉｒｒｏｒ  Ｄｅｖｉｃｅ）又は液晶パネル等の光変調デバイス（図示は省略する）等が収容されている。これらのうち、ランプユニット１５及び光変調デバイス等の電気部品は、筐体１内の底部に配された回路基板１２（図４では図示を省略する）に電気的に接続され、回路基板１２に形成された制御回路により動作が制御される。また、回路基板１２には雄コネクタ１１（図４では図示を省略する）が接続されており、電源コード５を介して雄コネクタ１１から供給される電力により回路基板１２の回路が動作し、また、回路基板１２からランプユニット１５及び光変調デバイス等の電気部品に電力を供給するようにしてある。
【００４７】
筐体１の底面には、略矩形の交換口１６が形成されており、交換口１６を通して筐体１内のランプユニット１５を着脱することができるようにしてある。また、プロジェクタは交換口１６を閉じるための底蓋１７を備えており、底蓋１７で交換口１６を覆い、底蓋１７を筐体１の底面に装着して図示しないネジにより固定することで、交換口１６を閉じることができる。ユーザはプロジェクタのランプを交換する必要がある場合には、底蓋１７を固定するネジを外し、底蓋１７の装着を外し、筐体１内からランプユニット１５を取り出して、ランプユニット１５に装着されたランプを交換する。その後、逆の手順でランプユニット１５を筐体１内に収め、底蓋１７を装着し固定する。
【００４８】
底蓋１７は、交換口１６より若干大きい略矩形の板状をなし、交換口１６を塞ぐ閉塞部１８と、閉塞部１８に略垂直に設けられ、矩形状をなす枠辺部１９と、閉塞部１８から延出し、閉塞部１８及び枠辺部１９を連結する連結部２０とを有している。枠辺部１９は、中央に矩形の開口１９ａが設けられた略ロ字型をなす枠状であり、開口１９ａの大きさは筐体１の開口３の大きさと略等しくしてある。
【００４９】
筐体１の底面の外側には、交換口１６の周囲に、底蓋１７の閉塞部１８及び連結部２０と同じ形状の凹部２１が形成してある。凹部２１の連結部２０に対応する部分の端は、筐体１の底面及び背面の境界に位置し、この凹部２１の端の部分に、細長い矩形状のスリット２２が形成してある。また、スリット２２が形成される位置は、筐体１の背面の開口３が形成されている位置の下である。凹部２１の深さは底蓋１７の厚さと同程度である。スリット２２は、長さが枠辺部１９の端の長さと同程度であり、幅が枠辺部１９の厚さと同程度である。
【００５０】
底蓋１７を筐体１に装着する場合は、スリット２２から底蓋１７の枠辺部１９を筐体１内に挿入し、閉塞部１８及び連結部２０を凹部２１に嵌合させた状態で、ネジを用いて固定する。このとき、スリット２２から挿入された枠辺部１９は、筐体１の背面の内側に接触し、底蓋１７がネジ止めされた状態では、筐体１の開口３及び枠辺部１９の開口１９ａの位置が一致し、開口３及び開口１９ａを通して筐体１の内外が連通するようにしてある。これにより、電源コード５の雌コネクタ５ａを開口３及び開口１９ａを通して筐体１内の雄コネクタ１１に接続することができるようにしてある。
【００５１】
また、雄コネクタ１１は、筐体１の背面の内側から底蓋１７の枠辺部１９の厚さ程度の間隔をあけた位置に、開口３と対向するように配設されており、底蓋１７を筐体１に装着した場合には、スリット２２から挿入された枠辺部１９が、筐体１の背面及び雄コネクタ１１の間の隙間を埋め、開口３から光及び塵埃等が筐体１内に侵入しないようにしてある。
【００５２】
筐体１の背面の内側には、底蓋１７を筐体１から外した場合に開口３を閉じる扉体３０が設けられている。扉体３０は、開口３より大きい略矩形の板部材であり、厚さは底蓋１７の枠辺部１９と同じである。扉体３０の両端に沿って、２つの長穴３１、３１がそれぞれ形成してあり、筐体１の背面の内側には、開口３より上の位置に、２つの円柱突起３２、３２が、背面の左右方向に長穴３１、３１の間の距離と同じ距離を開けて突設してある。円柱突起３２、３２の突出端にはネジ穴が形成してあり、扉体３０の長穴３１、３１に筐体１の円柱突起３２、３２を挿通した状態で、ネジ穴にそれぞれネジ３３、３３を螺合させることで、扉体３０を筐体１に取り付けることができる。取り付けた扉体３０は、長穴３１、３１に沿って筐体１の背面の上下方向にスライドさせることができる。
【００５３】
また、扉体３０の筐体１との接触面の反対面には、側面視で略Ｌ字型をなす細長い板状の部材が、Ｌ字の一端で固定され、Ｌ字型部材の他端は、扉体３０を筐体１に固定した場合に、上側を向くようにしてある。扉体３０に固定されたＬ字型の部材は、コイルバネ３５の一端側が装着されるバネ装着部３４をなす。
【００５４】
筐体１の背面内側には、扉体３０を上側にスライドさせた場合の最上位置に、略矩形の板状部材が背面に垂直に、且つ底面に平行に突設してある。この板状部材は、扉体３０のバネ装着部３４に装着されたコイルバネ３５の他端側を係止するバネ係止部３６をなすものである。扉体３０のバネ装着部３４及び筐体３０のバネ係止部３６の間でコイルバネ３５が伸縮することにより、扉体３０は下方へ、即ち開口３を閉じる方向へ付勢される。
【００５５】
図６は、本発明に係るプロジェクタの扉体３０が閉じた状態を示す斜視図である。コイルバネ３５により下方へ付勢された扉体３０は、筐体１の背面及び雄コネクタ１１（図６では図示を省略する）の間の隙間を埋めるようにして開口３を閉じる。この状態では、開口３から筐体１の内部に塵埃が侵入することはない。また、コイルバネ３５により付勢されているため、ユーザが筐体１の外側から扉体３０を上側へスライドさせることが難しく、電源ケーブル５を雄コネクタ１１に接続することができなくなる。
【００５６】
ただし、扉体３０が閉じた状態となるのは、底蓋１７が筐体１に装着されていない場合であり、ユーザは底蓋１７を筐体１に装着する事により、扉体３０を開いた状態にすることができる。図７は、本発明に係るプロジェクタの扉体３０が開いた状態を示す斜視図である。また、図８は、本発明に係るプロジェクタの扉体３０を開く途中過程を示す模式的側断面図である。
【００５７】
底蓋１７を筐体１に装着するときに、筐体１のスリット２２から底蓋１７の枠辺部１９を挿入した場合、枠辺部１９の先端部分が筐体１内の扉体３０の下端部分に当接し、底蓋１７の装着動作に伴って枠辺部１９が扉体３０を上方へ、即ち開口３を開く方向へ押し上げる。枠辺部１９がスリット２２から筐体１内に全て挿入され、底蓋１７が筐体１にネジ止めされた状態では、扉体３０は長穴３１、３１により規定されるスライド範囲の最上位置まで押し上げられ、開口３及び雄コネクタ１１の間には底蓋１７の枠辺部１９が挟まれ、枠辺部１９の開口１９ａを通して、電源ケーブル５の雌コネクタ５ａを雄コネクタ１１に接続できるようになる。
【００５８】
筐体１から底蓋１７を外すときに、雄コネクタ１１に電源ケーブル５の雌コネクタ５ａが接続された状態のままである場合、枠辺部１９の開口１９ａ内を雌コネクタ５ａが挿通しているため、枠辺部１９の上枠と雌コネクタ５ａとが当接し、底蓋１７を下方へ移動させることができない。このため、底蓋１７を筐体１から外すことができず、電源ケーブル５を接続したままランプユニット１５を取り出してランプの交換を行うことはできない。
【００５９】
雄コネクタ１１から電源ケーブル５を抜き取った場合には、底蓋１７を筐体１の下方へ移動させて外すことができ、交換口１６からランプユニット１５を取り出すことができる。このとき、筐体１の扉体３０は、コイルバネ３５の付勢により下方に移動し、開口３を閉じる。このため、底蓋１７を外した状態では電源ケーブル５を雄コネクタ１１に接続することはできない。
【００６０】
以上の構成のプロジェクタにおいては、底蓋１７の枠辺部１９に形成された開口１９ａを通して電源ケーブル５の雌コネクタ５ａを雄コネクタ１１に接続する構成としたことにより、電源ケーブル５を抜き取らずに底蓋１７を外すことができないため、プロジェクタ内の電気部品に電力が供給された状態で、ユーザが電気部品に触れ、感電することを防止できる。また、底蓋１７を外した状態では、扉体３０がコイルバネ３５の付勢により筐体１の開口３を閉じ、電源ケーブル５を雄コネクタ１１に接続することができないため、より確実に感電を防止できる。また、扉体３０は底蓋１７の枠辺部１９が押し上げる簡単な構成であるため、プロジェクタのコスト増を抑えることができる。
【００６１】
なお、本実施の形態においては、筐体１の背面に電源ケーブル５を接続するための開口３を形成する構成を示したが、これに限るものではなく、筐体１の両側面、底面、正面又は上面等に開口３を形成する構成であってもよい。また、開口３を閉じる扉体を備える構成を示したが、必ずしも扉体３０は備えなくてもよい。また、扉体３０をコイルバネ３５により付勢する構成を示したが、これに限るものではなく、板バネ又はゴム等の他の部材を用いて付勢する構成であってもよい。
【００６２】
また、底蓋１７の枠辺部１９は、中央に矩形の開口１９ａが形成された略ロ字型のものを用いる構成を示したが、これに限るものではなく、例えば、左右どちらかの一辺が欠けた略コ字型のものを用いる構成であってもよい。
【００６３】
また、本実施の形態においては、プロジェクタを例に説明を行ったが、これに限るものではなく、電源ケーブルを取り外しできる電気機器であれば同様の構成を適用することができる。例えば、ＰＣの筐体の場合、内蔵されたメモリの増設、ハードディスクの増設又はＳＣＳＩカードの増設等を行う場合に、筐体の蓋を開けて作業を行うが、このときに電源ケーブルが接続されたままの状態では感電の虞がある。そこで、筐体の蓋に本実施の形態にて示した底蓋１７の枠辺部１９と同じ構成のものを設け、枠辺部１９に形成された開口１９ａを通して電源ケーブルを接続するようにすればよい。
【００６４】
また、底蓋１７の枠辺部１９及び筐体１の扉体３０の形状は、本実施の形態に示した形状に限るものではなく、例えば以下の変形例のような別の形状であってもよい。
【００６５】
（変形例１）  図９は、本発明の変形例１に係るプロジェクタの枠部及び扉体の構成を示す模式的断面図である。変形例１に係るプロジェクタの底蓋５０には、枠辺部１９の上端部分を筐体１の背面と接触する面の反対面側へ屈曲させた屈曲部分５１が形成してある。筐体１の底面に形成され、底蓋５０の枠辺部１９を筐体１内に挿入するためのスリット５３の幅は、枠辺部１９の屈曲部分５１の幅と同程度にしてある。また、開口３を閉じるための扉体５５には、下端部分を筐体１の背面と接触する面の反対側へ屈曲させた屈曲部分５６が形成してある。
【００６６】
枠辺部１９の上端部分及び扉体５５の下端部分にそれぞれ屈曲部分５１及び屈曲部分５６を形成することにより、スリット５３から筐体１内に挿入された枠辺部１９が扉体５５を押し上げる場合に、枠辺部１９と扉体５５との当接面積が広くなるため、底蓋５０の装着動作に伴ってより確実に扉体５５をスライドさせることができる。
【００６７】
なお、底蓋５０の枠辺部１９及び扉体５５の両方に屈曲部分を形成する構成を示したが、これに限らず、枠辺部１９又は扉体５５のいずれか一方にのみ屈曲部分を形成する構成であってもよい。
【００６８】
（変形例２）  図１０は、本発明の変形例２に係るプロジェクタの枠部及び扉体の構成を示す模式的平面図である。変形例２に係るプロジェクタの筐体の開口３は、底蓋６０が装着されていない場合に、２つの扉体６５、６５により覆われて閉じるようにされている。図１０の（ａ）は扉体により開口３が閉じられた状態を図示したものであり、（ｂ）は底蓋６０が装着されて扉体６５、６５が開いた状態を図示したものである。
【００６９】
底蓋６０の枠辺部１９の上端部分６１は、略中央から左右に向けて、それぞれ上から下に傾斜させた二等辺三角形状に形成されている。枠辺部１９が筐体のスリットから挿入された場合、上端部分６１の傾斜した部分が筐体内の扉体６５、６５に当接する。
【００７０】
扉体６５、６５は、筐体の背面に沿って、背面の左右方向にスライド可能に取り付けられており、それぞれが開口３の左右から開口３の中央へ向けてバネにより付勢されている。底蓋６０が装着されていない場合、バネにより付勢された扉体６５、６５は、開口３の略中央の位置にてそれぞれの端部で互いに当接し、開口３を閉じるようにしてある。
【００７１】
底蓋６０を装着する場合、筐体のスリットから挿入された底蓋６０の枠辺部１９は、上端部分６１が扉体６５、６５の下部分に当接する。このとき、二等辺三角形状に形成された上端部分６１の頂点が、左右から閉じられた扉体６５、６５の合わせ目の下端部分に当接するようにしてある。
【００７２】
また、扉体６５、６５は、合わせ目の下端部分から左右方向に、上から下へ傾斜する傾斜部６６、６６がそれぞれ形成してあり、傾斜部６６、６６の傾斜角度は枠辺部１９の上端部分６１の左右への傾斜角度と等しくしてある。これにより、スリットから挿入された枠辺部１９に形成された上端部分６１の傾斜部分が、扉体６５、６５の傾斜部６６、６６に当接する。上端部分６１及び傾斜部６６、６６の当接部分は、枠辺部１９の挿入方向及び扉体６５、６５のスライド方向に対して共に傾斜してあるため、枠辺部１９に加えられた挿入方向の力が、当接部分にて扉体６５、６５を左右方向へスライドさせる力に変換される。よって、底蓋６０の装着動作に伴って枠辺部１９をスリットから筐体内に挿入した場合、扉体６５、６５が枠辺部１９の上端部分６１により左右方向へスライドされ、開口３が開く。扉体６５、６５が開かれた後、底蓋６０を枠辺部１９が扉体６５、６５に挟まれた状態で更に挿入することで、枠辺部１９の開口１９ａと筐体の開口３との位置が一致し、開口３及び開口１９ａを通して電源ケーブルの雌コネクタを筐体内に挿入して雄コネクタに接続することが可能となる。
【００７３】
以上のように、２つの扉体６５、６５を枠辺部１９の挿入方向と直行する方向にスライドする構成とすることにより、プロジェクタの筐体が上下方向に薄く、扉体を上下にスライドさせるスペースを確保できない場合であっても、扉体を設けて開口３を閉じることができる。なお、変形例２においては、２つの扉体６５、６５を左右方向にそれぞれスライドさせる構成を示したが、これに限るものではなく、どちらか一方に１つの扉体をスライドさせる構成であってもよい。
【図面の簡単な説明】
【００７４】
【図１】本発明に係るプロジェクタの外観を示す正面斜視図である。
【図２】本発明に係るプロジェクタの外観を示す背面斜視図である。
【図３】本発明に係るプロジェクタの構造を示す正面斜視図である。
【図４】本発明に係るプロジェクタの構造を示す分解正面斜視図である。
【図５】本発明に係るプロジェクタの構造を示す分解底面斜視図である。
【図６】本発明に係るプロジェクタの扉体が閉じた状態を示す斜視図である。
【図７】本発明に係るプロジェクタの扉体が開いた状態を示す斜視図である。
【図８】本発明に係るプロジェクタの扉体を開く途中過程を示す模式的側断面図である。
【図９】本発明の変形例１に係るプロジェクタの枠部及び扉体の構成を示す模式的断面図である。
【図１０】本発明の変形例２に係るプロジェクタの枠部及び扉体の構成を示す模式的平面図である。
【符号の説明】
【００７５】
１  筐体
３  開口
５  電源コード
５ａ  雌コネクタ
１１  雄コネクタ（端子部）
１２  回路基板
１５  ランプユニット（光源）
１６  交換口
１７  底蓋（蓋体）
１８  閉塞部
１９  枠辺部（枠辺部分）
１９ａ  開口
２０  連結部
２２  スリット
３０  扉体
３５  コイルバネ（付勢手段）
５０  底蓋（蓋体）
５１  屈曲部分
５５  扉体
５６  屈曲部分
６０  底蓋（蓋体）
６１  上端部分
６５  扉体
６６  傾斜部
【図１】
2007101696.tif 000003
【図２】
2007101696.tif 000004
【図３】
2007101696.tif 000005
【図４】
2007101696.tif 000006
【図５】
2007101696.tif 000007
【図６】
2007101696.tif 000008
【図７】
2007101696.tif 000009
【図８】
2007101696.tif 000010
【図９】
2007101696.tif 000011
【図１０】
2007101696.tif 000012